(57)【要約】【課題】従来のゴルフパターはヘッドからシャフトまでが一体であり、使用者の体格や好みやその日のコンディションに合わせて適宜に調整することができなかった。【解決手段】パターヘッドとネック部とシャフトに分割し、パターヘッドとネック部の間と、ネック部とシャフトの間にそれぞれ回転軸と係止ボルトを設け、それぞれの回転軸の間に所定の角度を設けたことによりパターヘッドとシャフトの位置関係を自由に変更できる。【選択図】図１
2012055672.tif 000002
【特許請求の範囲】
【請求項１】
パターヘッド１、ネック部２、シャフト３からなり、前記パターヘッド１と前記ネック部２との間を回転軸Ａで接続し、前記ネック部２と前記シャフト３との間を回転軸Ｂで接続し、前記回転軸Ａと前記回転軸Ｂとの間に所定の角度を持つとともに、前記回転軸Ａの回転を固定するネック係ボルト６と、前記回転軸Ｂの回転を固定するシャフト係止ボルト７からなるゴルフパター。
【請求項２】
前記回転軸Ａはネック係止ボルト６を、前記回転軸Ｂはシャフト係止ボルト７を緩めることにより前記回転軸Ａと前記回転軸Ｂは着脱できることを特徴とする請求項１のゴルフパター。
【請求項３】
前記ネック部２は略クランク形状であることにより、パターヘッド１のフェース１０とシャフト３とのオフセット位置を変更出来ることを特徴とする請求項１，２のゴルフパター。
【請求項４】
前記回転軸Ａは前記パターヘッド１の上面のヒール１１からトー１２まで距離に対する中央の位置で接続され、ネック部２の向きを変更して固定することによって右打者用から左打者用に変更して使用出来ることを特徴とする請求項１〜３のゴルフパター。
【発明の詳細な説明】
【技術分野】
【０００１】本発明はゴルフのパターに関して、特にパターヘッドとネック部とシャフトに分割出来るパターに関する。
【課題】
【背景技術】
【０００２】  従来、ヘッドからグリップまで一体に形成されたゴルフパターが広く知られている。販売店ではパターヘッドの形状、大きさ、重さ、シャフトの長さ、グリップの太さや形状がそれぞれ異なるパターを揃えており、使用者は体格やパットスタイルに合致させるべくこれらの中から選択し購入している。
しかし使用者の体格やパットスタイルはさまざまで多くの組み合わせが必要であるのに対して、ゴルフパターメーカーはこれらの組み合わせを全て用意することが出来ない。このため使用者は限られた中から選択しなければならず、試打をしたとしても使用者に適したものを購入しているとは限らない。
また、使用者の体格やパットスタイルが変ったりした場合には新たにパターを買いなおす必要があったり、当日のコンディションの違いに対応するために複数のパターを用意する必要があった。【０００３】  このような問題に対して各部分の調整可能なゴルフパターが知られており、シャフト部分とパターヘッド部分とを各々独立させ、使用時にはシャフト部分とパターヘッド部分とを結合させることによって、パターヘッド部分の交換が可能なゴルフパターが提案されている（特許文献１）。
また、パターヘッドをカスタマイズ可能なパターにおいてホーゼルに付随伸長部を有しているものが提案されている（特許文献２）。
さらに、パターヘッドにシャフトを連結するための複数の凹部を設け適宜取り付け位置および角度を選択出来るゴルフパターが提案されている（特許文献３）。
【先行技術文献】
【特許文献】
【０００４】
【特許文献１】  特開２００２−２７２８８５号公報
【特許文献２】  特開２００２−２２４２５４号公報
【特許文献３】  特開２００７−２２２２５７号公報
【発明の概要】
【発明が解決しようとする課題】
【０００５】  特許文献１によればシャフト部分とパターヘッド部分と各々独立させ、重さの異なる複数のヘッドを差し替えて使用するゴルフパターが提案されている。しかし、シャフトのほぞ組Ａ３とネック部のほぞ組Ｂ５を一致させて常に同じ角度で固定するため、パターヘッドとシャフトの位置関係を自由に変更出来ないという問題がある。すなわち、このようなパターヘッド部分の差し替え方法では複数のパターヘッドのなかから選択出来るが固定角度を変更することが出来ない。
また、特許文献２のゴルフパターはパターヘッドとネック部が分割可能であることが示唆されているが、ネック部とパターヘッドの固定角度は一定であり自由に変更出来ないという問題がある。
さらに、特許文献３では、パターヘッドに複数の凹部を設けパターヘッドとシャフトの取り付け位置を選択出来るゴルフパターが提案されている。
一般的にパターヘッドをブレにくくするために、パターヘッドのヒールとトーの近傍に大きな質量を与え慣性を持たせたり、パターヘッドの打面の奥行き方向に厚みを持たせたりすることが行われている。このようにパターヘッドの重量配分はスイングの安定性に大きく影響する。しかし特許文献３の構成のようにパターヘッドに対するシャフトを取り付ける位置を変更するということはパターのヘッドバランスを大きく変えることであって、変更されたヘッドバランスに使用者が慣れるのに時間がかかるという問題がある。【０００６】  したがって本願発明は、ヘッドバランスを大きく変えることなくパターヘッドとシャフトの位置関係を自由に設定でき、必要に応じてそれぞれの部品を即時に選択交換しうることが出来るゴルフパターを提供することを目的とする。
【課題を解決するための手段】
【０００７】請求項１の発明によるゴルフパターは、パターヘッド１、ネック部２、シャフト３からなり、前記パターヘッド１と前記ネック部２との間を回転軸Ａで接続し、前記ネック部２と前記シャフト３との間を回転軸Ｂで接続し、前記回転軸Ａと前記回転軸Ｂとの間に所定の角度を持つとともに、前記回転軸Ａの回転を固定するネック係止ボルト６と、前記回転軸Ｂの回転を固定するシャフト係止ボルト７からなることを特徴とするものである。【０００８】  請求項１の発明によれば、パターヘッド１とネック部２が回転軸Ａで接続され、ネック部２とシャフト３が回転軸Ｂで接続され、回転軸Ａをネック係止ボルト６、回転軸Ｂをシャフト係止ボルト７で固定されているので、両係止ボルトを緩めた後に適宜角度を変更して締め付けることによりパターヘッド１とネック部２とシャフト３の位置関係を変更して使用者の好みに合致させることが出来るという優れた効果を有する。また回転軸Ａと回転軸Ｂは所定の角度を持っているため回転軸Ａと回転軸Ｂの固定角度によりライ角やオフセット量を任意に設定することができる。【０００９】請求項２の発明によるゴルフパターは、前記回転軸Ａはネック係止ボルト６を、前記回転軸Ｂはシャフト係止ボルト７を緩めることにより前記回転軸Ａと前記回転軸Ｂは着脱できることを特徴とするものである。【００１０】  請求項２の発明によれば、回転軸Ａと回転軸Ｂが着脱可能な回転軸で、両係止ボルトを緩めることによりパターヘッド１とネック部２とシャフト３の分離が出来るのでそれぞれの部品が交換出来るという優れた効果を有する。【００１１】  請求項３の発明によるゴルフパターは、請求項１〜２の構成に加えて前記ネック部２を略クランク形状とすることにより、パターヘッド１のフェース１０とシャフト３とのオフセット位置を変更出来ることを特徴とするものである。【００１２】  請求項３の発明によれば、ネック部２の形状が略クランク状であり、パターヘッド１とネック部２の取り付け角度を変更出来ることにより、パターヘッド１のフェース１０とシャフト３のオフセット位置を容易に変更可能であるという優れた効果を有する。【００１３】  請求項４の発明によるゴルフパターは、請求項１〜３の構成に加えて前記パターヘッド１のヒール１１からトー１２までの距離に対する中央の位置で前記回転軸Ａを接続し、ネック部２の向きを変更して固定することによって右打者用から左打者用に変更して使用することが出来ることを特徴とするものである。【００１４】  請求項４の発明によれば、パターヘッド１のヒール１１からトー１２までの距離に対する中央の位置に前記回転軸Ａを配置し、ネック部２の向きを変更して固定することによって右打者用から左打者用に変更して使用出来るという優れた効果を有する。
【発明の効果】
【００１５】  以上のように、本発明のゴルフパターによれば、パターヘッドとネックとシャフトの取り付け角度を自由に変更でき、しかも構成が複雑になることを可及的に防止するとともに安価に製造することが出来るという効果を得られる。
【図面の簡単な説明】
【００１６】
【図１】  本発明のゴルフパターを示す側面図。
【図２】  図１のゴルフパターの正面図。
【図３】  パターヘッドに取り付けたネック部を前後に移動してシャフトの取り付け角度を前後に傾斜させた例を示す図。
【図４】  図５の平面図。
【図５】  略クランク状ネック部の例の側面図
【図６】  Ｌ型ネック部の例による側面図。
【図７】  略クランク状ネック部の変形例の側面図
【図８】  図７の平面図。
【図９】  シャフトに取り付けられた扁平部をもつグリップを示す図。
【図１０】  従来技術（特許文献３）のパターヘッドを示す上面図。
【図１１】  従来技術の一体に形成されたパターを示す図。
【発明を実施するための形態】
【００１７】  以下、図面を用いて本発明の実施形態１に係るゴルフパターについて詳細に説明すると、図１、図２に示すように、本発明の実施形態１に係るゴルフパターはパターヘッド１にネック取り付け孔８が開けられ、ネック部２の下部は回転軸Ａとしてネック取り付け孔８に挿入され、パターヘッド１の底面からネック取り付けボルト６で締め付けてネック部２が回転しないように固定されている。ネック部２の上部にはソケット部５が設けられ、シャフト３の下部が回転軸Ｂとしてソケット５に挿入され、シャフト３が回転しないようにシャフト係止ボルト７を締め付けて固定されている。シャフト３の上部には滑り防止用のグリップ４が取り付けられており、グリップ４には上面位置を示すグリップ扁平部９が設けられている。
パターヘッド１に開けられたネック取り付け孔８は貫通孔であるのでネック２に対してパターヘッド１は自由に回転させることができ、ネック取り付けボルト６を緩めたり締めたりすることによってどんな角度でも固定可能である。
また、ソケット部５に対してシャフト３は自由に回転でき、ソケット部５の側面からシャフト係止ボルト７によってねじ留めされ、シャフト３も同様にどんな角度でも固定可能である。
【００１８】  図３に示すように、使用者はパターヘッド１のフェース１０とシャフト３とのオフセット位置を回転軸Ａによって自由に設定出来る。回転軸Ａはネック取り付け孔８を介してネック係止ボルト６でネック部２を固定しているのでどんな角度でも固定することができ、例えば図３における（Ｐ）の位置ではパターヘッドの打面１０に近い位置、（Ｑ）の位置ではパターヘッド１の中央付近の位置というように、オフセット量を自由に設定することが出来る。
このとき、グリップ扁平部９の平面を上面に向けたときにその平面とフェース１０とが直角であることが望ましいので（フェース角±０°）、回転軸Ｂの取り付け角度を適宜変更すればよい。具体的には図１に示すように、ネック部２に取り付けられたソケット部５にシャフト３の先端が挿入され回転可能になっており、シャフト係止ボルト７でその角度を固定出来る。
【００１９】  ここで図８に示すように、ネック部２の回転軸Ａに対して回転軸Ｂは取り付け角度θ１が設定されている。パターヘッド１とネック部２の回転軸Ａの取り付け角度を決めると、取り付け角度θ１がライ角と打ち出し方向のシャフト３の傾きに配分されることになる。ここで、フェース１０とグリップ扁平部９の平面の向きを直角にして、ライ角とシャフト３の傾きが適正になるようにシャフト係止ボルト７で固定すればよい。
このように回転軸Ａと回転軸Ｂの取り付け角度を変更して、ネック係止ボルト６とシャフト係止ボルト７で固定することにより、ゴルフパターの使用者に合わせてパターヘッド１とシャフト３との位置関係を自由に変更することが出来る。取り付け角度θ１はライ角とシャフト３の傾きに分配されることを考慮して１０〜３０°程度に設定する。
このように回転軸Ａでパターヘッド１とネック部２を接続しており、どのような角度であっても取り付け位置は常に同じなのでパターヘッドのモーメントが大きく変化することはない。
【００２０】  さらに、ネック係止ボルト６を緩めることによりパターヘッド１とネック部２を分離させることが出来る。シャフト係止ボルト７についても同様で、ネック部２とシャフト３を分離させることが出来る。
すなわち、パターヘッド１、ネック部２、シャフト３が独立しているため各々が交換可能である。したがって、パターヘッド１とシャフト３の位置関係が求める範囲に入らない場合には、取り付け角度θ１の異なるネック部２だけを交換するだけでよい。
【００２１】  ネック部２は図８のようなＬ型の形状以外に、図５に示すような略クランク状であってもよい。オフセット量を大きく変えたい場合には、略クランク状の２箇所の曲げ部分の中間の長さを大きくするとよい。
図１、２の回転軸Ａはパターヘッド１にネック取り付け孔８を介してネック部２にネック係止ボルト６で固定されているがこの方法以外に、回転軸Ａはパターヘッド１の上面に設けて突出させ、ネック部２の下部にはソケット部を設けて、ソケット部の側方から係止ボルトで固定する構造であってもよい。
また回転軸Ａと回転軸Ｂは取り付け角度θ１以外に図８のようにθ２の角度を設けることも出来る。取り付け角度θ２を設けることによって、より微細な調整が可能となる。
取り付け角度θ２は図８ではネック部２の曲げ部に設けるものとしたが、図４のように中間部分で略への字形状に曲げることによるものでもよい。
なお回転軸として回転軸Ａと回転軸Ｂにさらにもう１つ以上の回転軸を加え、３つ以上の回転軸を持つゴルフパターであってもよい。具体的にはネック部２の途中を分割して回転軸Ｃを加えると、調整の範囲を増やすことが出来る。特に、回転軸Ａと回転軸Ｂと回転軸Ｃはそれぞれが平行ではないことが望ましい。
【００２２】  また、ネック係止ボルト６の締め付けが弱すぎた場合に、ちょっとした衝撃などで回転軸Ａが意図せず回転してしまうことも考えられる。そこで、ネック部２の下部の軸にスプライン状に縦溝を配し、パターヘッド１のネック取り付け孔８にはスプライン軸受け状に縦溝を配することが考えられる。縦溝同士の山谷がかみ合うことにより回転しないので、一度設定した回転軸の固定角度は意図せず変更されることはない。回転軸Ｂについてもソケット部５とシャフト３に縦溝を設ければよい。
【００２３】    さらに本発明の実施形態２について述べる。図３に示すように、パターヘッド１のヒール１１からトー１２までの距離に対する中央の位置に回転軸Ａが設けられネック部２と接続されている。ネック部２の上方はパターヘッド１のヒール１１側に向くように取り付けられるが、回転軸Ａによってトー１２側に向くようにも取り付けることが出来る。このとき扁平部９が上面に向くように回転軸Ｂによってシャフト３を回転させることによって左打ち用のパターになる。このとき右打ち用のヒール１１は左打ち用のトー１２に相当する。
このようにネック部２に回転軸Ａと回転軸Ｂを設けることにより右打ち用のパターと左打ち用のパターを共用させることが出来る。そしてパターヘッド１のヒール１１からトー１２までの距離の中央の位置に回転軸Ａが設けられているので、パターのヘッドバランス（モーメント）を変化させずに右打ち用から左打ち用に切り替えることが出来る。なお、パターヘッド１はヒール１１からトー１２までの長さに対する中央の位置を通る中心線に対して対称の形状や対称の重量配分であることが望ましい。
左右打者共用で部品を製造することが出来るのでコストを抑えることができ、使用者もパターの選択肢が多くなるというメリットがある。
【符号の説明】
【００２４】１  パターヘッド
２  ネック部
３  シャフト
４  グリップ
５  ソケット部
６  ネック係止ボルト
７  シャフト係止ボルト
８  ネック取り付け孔
９  グリップ扁平部
１０  フェース（パターヘッドの打面）
１１  ヒール
１２  トー
Ａ  回転軸
Ｂ  回転軸
θ１  取り付け角度
θ２  取り付け角度
【図１】
2012055672.tif 000003
【図２】
2012055672.tif 000004
【図３】
2012055672.tif 000005
【図４】
2012055672.tif 000006
【図５】
2012055672.tif 000007
【図６】
2012055672.tif 000008
【図７】
2012055672.tif 000009
【図８】
2012055672.tif 000010
【図９】
2012055672.tif 000011
【図１０】
2012055672.tif 000012
【図１１】
2012055672.tif 000013